(57)【特許請求の範囲】
【請求項１】
シャフトが挿通される貫通孔が開口するスラスト軸受面と、
前記貫通孔の内周面に形成されたラジアル軸受面と、
前記スラスト軸受面に設けられ、前記シャフトの回転方向に離隔して形成された複数のランド部と、
前記スラスト軸受面のうち、複数の前記ランド部の間に形成され、前記シャフトの挿通方向の突出高さが、前記回転方向の前方側に向って高くなるテーパ部と、
前記テーパ部に設けられ、前記貫通孔から、前記テーパ部の外周端より径方向内側まで延在するスラスト溝と、
前記シャフトと、前記ラジアル軸受面との間に形成されるラジアル軸受隙間と、
前記スラスト軸受面と前記挿通方向に対向する被スラスト軸受面と、前記スラスト軸受面との間に形成され、前記ラジアル軸受隙間の流路断面積よりも大きい流路断面積を有するスラスト軸受隙間と、
を備える軸受構造。
【請求項２】
前記スラスト溝は、前記テーパ部における前記回転方向の幅中心よりも、前記回転方向の後方側に位置する請求項１に記載の軸受構造。
【請求項３】
前記テーパ部に対して前記回転方向の後方側の前記ランド部と、前記スラスト溝との前記回転方向の距離は、前記スラスト溝の前記回転方向の幅よりも短い請求項２に記載の軸受構造。
【請求項４】
前記スラスト溝は、径方向外側に向って先細り形状である請求項１から３のいずれか１項に記載の軸受構造。
【請求項５】
前記スラスト溝から連続して前記ラジアル軸受面に形成され、前記回転方向の幅が、前記スラスト溝の前記回転方向の最大幅よりも小さいラジアル溝を備える請求項１から４のいずれか１項に記載の軸受構造。
【請求項６】
前記請求項１から５のいずれか１項に記載の軸受構造を備える過給機。
【発明の詳細な説明】
【技術分野】
【０００１】
本開示は、スラスト軸受面にランド部とテーパ部が設けられた軸受構造、および、軸受構造を備えた過給機に関する。
【背景技術】
【０００２】
従来、シャフトがベアリングハウジングに回転自在に軸支された過給機が知られている。シャフトの一端には、タービンインペラが設けられる。シャフトの他端には、コンプレッサインペラが設けられる。過給機はエンジンに接続される。タービンインペラは、エンジンから排出される排気ガスによって回転する。タービンインペラの回転によって、シャフトを介してコンプレッサインペラが回転する。過給機は、コンプレッサインペラの回転に伴い空気を圧縮してエンジンに送出する。【０００３】
例えば、特許文献１には、軸受の一種であるセミフローティング軸受が設けられた過給機が示されている。セミフローティング軸受の本体部は、シャフトが挿通される貫通孔を有する。本体部の両端面には、スラスト軸受面が形成される。スラスト軸受面には、テーパ部、ランド部、および、スラスト溝が形成されている。ランド部は、シャフトの回転方向に離隔して複数設けられる。テーパ部は、ランド部の間にそれぞれ設けられる。また、特許文献１では、テーパ部とランド部との間に、スラスト溝が形成されている。スラスト溝は、貫通孔からスラスト軸受面の外周端まで延在する。
【先行技術文献】
【特許文献】
【０００４】
【特許文献１】米国特許第７６７００５６号明細書
【発明の概要】
【発明が解決しようとする課題】
【０００５】
上記の特許文献１に記載されたスラスト溝は、貫通孔から流入した潤滑油をテーパ部およびランド部に導く。しかし、スラスト溝に導かれた潤滑油の一部は、スラスト溝からスラスト軸受面の外周に流出する。その結果、シャフトの回転速度によっては、供給される潤滑油が、スラスト軸受面で消費されずに外周側にそのまま流出してしまう。そのため、軸受性能が低下してしまう。【０００６】
本開示の目的は、軸受性能を向上することが可能な軸受構造、および、過給機を提供することである。
【課題を解決するための手段】
【０００７】
上記課題を解決するために、本開示の一態様に係る軸受構造は、シャフトが挿通される貫通孔が開口するスラスト軸受面と、貫通孔の内周面に形成されたラジアル軸受面と、スラスト軸受面に設けられ、シャフトの回転方向に離隔して形成された複数のランド部と、スラスト軸受面のうち、複数のランド部の間に形成され、シャフトの挿通方向の突出高さが、回転方向の前方側に向って高くなるテーパ部と、テーパ部に設けられ、貫通孔から、テーパ部の外周端より径方向内側まで延在するスラスト溝と、シャフトと、ラジアル軸受面との間に形成されるラジアル軸受隙間と、スラスト軸受面と挿通方向に対向する被スラスト軸受面と、スラスト軸受面との間に形成され、ラジアル軸受隙間の流路断面積よりも大きい流路断面積を有するスラスト軸受隙間と、を備える。
【０００８】
スラスト溝は、テーパ部における回転方向の幅中心よりも、回転方向の後方側に位置してもよい。【０００９】
テーパ部に対して回転方向の後方側のランド部と、スラスト溝との回転方向の距離は、スラスト溝の回転方向の幅よりも短くてもよい。【００１０】
スラスト溝は、径方向外側に向って先細り形状であってもよい。【００１１】
スラスト溝から連続してラジアル軸受面に形成され、回転方向の幅が、スラスト溝の回転方向の最大幅よりも小さいラジアル溝を備えてもよい。
【００１２】
上記課題を解決するために、本開示の一態様に係る過給機は、上記の軸受構造を備える。
【発明の効果】
【００１３】
本開示によれば、軸受性能を向上することが可能となる。
【図面の簡単な説明】
【００１４】
【図１】過給機の概略断面図である。
【図２】図１の一点鎖線部分を抽出した図である。
【図３】図２のセミフローティング軸受の抽出図である。
【図４】図４（ａ）は、スラスト軸受面を示す図である。図４（ｂ）は、スラスト軸受面を示す図である。
【図５】図５（ａ）は、図４（ａ）のスラスト溝近傍の抽出図である。図５（ｂ）は、図５（ａ）におけるセミフローティング軸受のＶｂ矢視図である。
【図６】図６（ａ）は、シャフトとスラスト軸受面を示す図である。図６（ｂ）は、セミフローティング軸受とシャフト（大径部）における図６（ａ）の一点鎖線部分の断面のＶＩｂ矢視図である。
【図７】図７（ａ）は、スラスト軸受面を示す図である。図７（ｂ）は、図７（ａ）のＶＩＩｂ−ＶＩＩｂ線断面図である。図７（ｃ）は、図７（ｂ）のＶＩＩｃ矢視図である。図７（ｄ）は、図７（ｂ）のＶＩＩｄ矢視図である。
【図８】図８（ａ）は、第１変形例における図５（ａ）に対応する部位の図である。図８（ｂ）は、第１変形例における図５（ｂ）に対応する部位の図である。
【図９】図９（ａ）は、第２変形例における図５（ａ）に対応する部位の図である。図９（ｂ）は、第２変形例における図５（ｂ）に対応する部位の図である。
【発明を実施するための形態】
【００１５】
以下に添付図面を参照しながら、軸受構造および過給機の一実施形態について詳細に説明する。実施形態に示す寸法、材料、その他具体的な数値等は、理解を容易とするための例示にすぎず、特に断る場合を除き、構成を限定するものではない。なお、本明細書および図面において、実質的に同一の機能、構成を有する要素については、同一の符号を付することにより重複説明を省略する。
【００１６】
図１は、過給機Ｃの概略断面図である。以下では、図１に示す矢印Ｌ方向を過給機Ｃの左側とする。図１に示す矢印Ｒ方向を過給機Ｃの右側として説明する。図１に示すように、過給機Ｃは、過給機本体１を備える。過給機本体１は、ベアリングハウジング２を備える。ベアリングハウジング２の左側には、締結機構３によってタービンハウジング４が連結される。また、ベアリングハウジング２の右側には、締結ボルト５によってコンプレッサハウジング６が連結される。ベアリングハウジング２、タービンハウジング４、コンプレッサハウジング６は、一体化されている。
【００１７】
ベアリングハウジング２の外周面には、突起２ａが形成されている。突起２ａは、タービンハウジング４近傍に設けられる。突起２ａは、ベアリングハウジング２の径方向に突出する。また、タービンハウジング４の外周面には、突起４ａが形成されている。突起４ａは、ベアリングハウジング２近傍に設けられる。突起４ａは、タービンハウジング４の径方向に突出する。ベアリングハウジング２とタービンハウジング４は、突起２ａ、４ａを締結機構３によってバンド締結して取り付けられる。締結機構３は、例えば、突起２ａ、４ａを挟持するＧカップリングで構成される。
【００１８】
ベアリングハウジング２には軸受孔２ｂが形成されている。軸受孔２ｂは、過給機Ｃの左右方向に貫通する。軸受孔２ｂにはセミフローティング軸受７が設けられる。セミフローティング軸受７によって、シャフト８が回転自在に軸支されている。
【００１９】
シャフト８の左端部にはタービンインペラ９が設けられている。このタービンインペラ９は、タービンハウジング４に回転自在に収容されている。また、シャフト８の右端部にはコンプレッサインペラ１０が設けられている。このコンプレッサインペラ１０は、コンプレッサハウジング６に回転自在に収容されている。
【００２０】
コンプレッサハウジング６には、吸気口１１が形成されている。吸気口１１は、過給機Ｃの右側に開口する。吸気口１１は、不図示のエアクリーナに接続される。ベアリングハウジング２とコンプレッサハウジング６の対向面によって、ディフューザ流路１２が形成される。ディフューザ流路１２は、空気を昇圧する。ディフューザ流路１２は、シャフト８の径方向内側から外側に向けて環状に形成される。また、ディフューザ流路１２は、径方向内側において、コンプレッサインペラ１０を介して吸気口１１に連通している。
【００２１】
また、コンプレッサハウジング６には、コンプレッサスクロール流路１３が設けられている。コンプレッサスクロール流路１３は環状である。コンプレッサスクロール流路１３は、例えば、ディフューザ流路１２よりもシャフト８の径方向外側に位置する。コンプレッサスクロール流路１３は、不図示のエンジンの吸気口と、ディフューザ流路１２とに連通している。コンプレッサインペラ１０が回転すると、吸気口１１からコンプレッサハウジング６内に空気が吸気される。吸気された空気は、コンプレッサインペラ１０の翼間を流通する過程において、遠心力の作用により増速される。増速された空気は、ディフューザ流路１２およびコンプレッサスクロール流路１３で昇圧される。昇圧された空気は、エンジンの吸気口に導かれる。
【００２２】
タービンハウジング４には、吐出口１４が形成されている。吐出口１４は、過給機Ｃの左側に開口する。吐出口１４は、不図示の排気ガス浄化装置に接続される。また、タービンハウジング４には、流路１５が設けられている。タービンハウジング４には、タービンスクロール流路１６が設けられている。タービンスクロール流路１６は環状である。タービンスクロール流路１６は、例えば、流路１５よりもタービンインペラ９の径方向外側に位置する。タービンスクロール流路１６は、不図示のガス流入口と連通する。ガス流入口には、不図示のエンジンの排気マニホールドから排出される排気ガスが導かれる。タービンスクロール流路１６は、流路１５にも連通している。したがって、ガス流入口からタービンスクロール流路１６に導かれた排気ガスは、流路１５およびタービンインペラ９を介して吐出口１４に導かれる。吐出口１４に導かれる排気ガスは、流通過程においてタービンインペラ９を回転させる。
【００２３】
そして、タービンインペラ９の回転力は、シャフト８を介してコンプレッサインペラ１０に伝達される。コンプレッサインペラ１０が回転すると、上記のとおりに、空気が昇圧される。こうして、空気がエンジンの吸気口に導かれる。
【００２４】
図２は、図１の一点鎖線部分を抽出した図である。図２に示すように、ベアリングハウジング２の内部には、軸受構造Ｓが設けられている。軸受構造Ｓでは、ベアリングハウジング２に油路２ｃが形成される。潤滑油は、油路２ｃから軸受孔２ｂに流入する。軸受孔２ｂには、セミフローティング軸受７が配されている。セミフローティング軸受７の本体部３０には、貫通孔３１が形成される。貫通孔３１は、本体部３０をシャフト８の軸方向（以下、単に軸方向と称す）に貫通する。貫通孔３１には、シャフト８が挿通されている。貫通孔３１の内周面３２のうち、タービンインペラ９側には、ラジアル軸受面３３が形成されている。貫通孔３１の内周面３２のうち、コンプレッサインペラ１０側には、ラジアル軸受面３４が形成されている。２つのラジアル軸受面３３、３４は、シャフト８の軸方向に離隔する。
【００２５】
本体部３０のうち、２つのラジアル軸受面３３、３４の間には、油孔３６が開口する。油孔３６は、本体部３０を内周面３２から外周面３５まで貫通する。軸受孔２ｂに供給された潤滑油の一部は、油孔３６を通って本体部３０の貫通孔３１に流入する。貫通孔３１に流入した潤滑油は、油孔３６からタービンインペラ９側およびコンプレッサインペラ１０側に広がる。そして、潤滑油は、シャフト８とラジアル軸受面３３、３４との間隙に供給される。シャフト８とラジアル軸受面３３、３４との間隙に供給された潤滑油の油膜圧力によって、シャフト８が軸支される。
【００２６】
また、本体部３０には、位置決め孔３７が設けられる。位置決め孔３７は、本体部３０を内周面３２から外周面３５まで貫通する。ベアリングハウジング２には、ピン孔２ｄが形成されている。ピン孔２ｄは、ベアリングハウジング２のうち、軸受孔２ｂを形成する図２中、下側の壁部２ｅを貫通する。ピン孔２ｄは、位置決め孔３７に対向する。ピン孔２ｄに、図２中、下側から位置決めピン２０が圧入される。位置決めピン２０の先端は、位置決め孔３７に挿入される。こうして、セミフローティング軸受７の回転、および、軸方向の移動が規制される。
【００２７】
また、本体部３０の外周面には、２つのダンパ部３８、３９が形成される。ダンパ部３８は、本体部３０のうち、図２中、左側（タービンインペラ９側）に設けられる。ダンパ部３９は、本体部３０のうち、図２中、右側（コンプレッサインペラ１０側）に設けられる。２つのダンパ部３８、３９は、軸方向に離隔する。ダンパ部３８、３９と、軸受孔２ｂの内周面２ｆとの間隙には、油路２ｃから潤滑油が供給される。潤滑油の油膜圧力によってシャフト８の振動が抑制される。
【００２８】
また、シャフト８には、油切り部材２１が設けられている。油切り部材２１は、環状部材である。油切り部材２１は、本体部３０に対して、図２中、右側（コンプレッサインペラ１０側）に配される。油切り部材２１の対向面２１ａは、本体部３０に軸方向に対向する。対向面２１ａの外径は、例えば、ラジアル軸受面３４の内径よりも大きい。対向面２１ａの外径は、例えば、本体部３０の外径よりも小さい。
【００２９】
潤滑油の一部は、セミフローティング軸受７からコンプレッサインペラ１０側に流れる。油切り部材２１は、潤滑油を径方向外側に飛散させる。こうして、油切り部材２１は、コンプレッサインペラ１０側への潤滑油の漏出を抑制する。
【００３０】
シャフト８には、大径部８ａが設けられている。大径部８ａは、本体部３０に対して、図２中、左側（タービンインペラ９側）に位置する。大径部８ａは、本体部３０に軸方向に対向している。大径部８ａの外径は、例えば、本体部３０のラジアル軸受面３３の内径よりも大きい。大径部８ａの外径は、例えば、本体部３０の外径よりも大きい。
【００３１】
本体部３０は、油切り部材２１および大径部８ａによって軸方向に挟まれている。本体部３０の軸方向の長さは、大径部８ａと油切り部材２１との距離よりも僅かに短い。シャフト８は、軸方向に僅かに移動できる。本体部３０と油切り部材２１との間隙、および、本体部３０と大径部８ａとの間隙には、それぞれ、潤滑油が供給されている。シャフト８が軸方向に移動すると、油切り部材２１または大径部８ａと、本体部３０との間の油膜圧力によって軸方向の荷重が支持される。
【００３２】
すなわち、本体部３０のうち、タービンインペラ９側の端面は、スラスト軸受面４０となっている。本体部３０のうち、コンプレッサインペラ１０側の端面は、スラスト軸受面４１となっている。２つのスラスト軸受面４０、４１は、スラスト荷重を受ける。
【００３３】
図３は、図２のセミフローティング軸受７の抽出図である。ラジアル軸受面３３、３４には、軸方向に亘ってラジアル溝４２が形成される。ラジアル溝４２は、ラジアル軸受面３３、３４それぞれに、シャフト８の回転方向（すなわち、貫通孔３１の内周面３２の周方向、以下、単に回転方向と称す）に離隔して複数（ここでは、例えば、４つずつ）設けられる。油孔３６から貫通孔３１に流入した潤滑油の一部は、ラジアル溝４２に流入する。ラジアル溝４２に流入した潤滑油の一部は、シャフト８の回転に伴ってラジアル軸受面３３、３４に供給される。ラジアル溝４２に流入した潤滑油の一部は、スラスト軸受面４０、４１に供給される。
【００３４】
図４（ａ）は、スラスト軸受面４０を示す図である。図４（ｂ）は、スラスト軸受面４１を示す図である。図４（ａ）、図４（ｂ）では、回転方向を矢印で示す。スラスト軸受面４０、４１には、貫通孔３１が開口する。スラスト軸受面４０、４１には、貫通孔３１との境界に面取り部４０ａ、４１ａが形成される。スラスト軸受面４０、４１のうち、外周側には、面取り部４０ｂ、４１ｂが形成される。
【００３５】
スラスト軸受面４０、４１には、ランド部４３およびテーパ部４４が形成される。ランド部４３は、本体部３０の中心軸に対して垂直な面である。ランド部４３は、回転方向に離隔して複数（ここでは、例えば４つ）設けられる。テーパ部４４は、回転方向に隣り合う２つのランド部４３の間に、１つずつ形成される。ランド部４３は、テーパ部４４に対応し、下記のように、テーパ部４４の回転方向の後方側に位置する。
【００３６】
テーパ部４４は傾斜面である。テーパ部４４において、シャフト８の挿通方向の突出高さ（以下、単に突出高さと称す）は、回転方向の前方側の方に向って高くなる。例えば、図４（ａ）において、テーパ部４４は、回転方向の前方側ほど、紙面手前側（大径部８ａと近接する方向）に向って突出する。テーパ部４４のうち、回転方向の前方側の端部４４ａは、ランド部４３と面一となっている。また、図４（ａ）において、テーパ部４４は、回転方向の後方側ほど、紙面奥側（大径部８ａと離隔する方向）に向って低くなる。テーパ部４４のうち、回転方向の後方側の端部４４ｂは、ランド部４３より低い。テーパ部４４の端部４４ｂとランド部４３の境界は、段差面４５となっている。
【００３７】
テーパ部４４には、それぞれスラスト溝４６が形成される。スラスト溝４６は、貫通孔３１から径方向外側に形成される。スラスト溝４６は、テーパ部４４の外周端４４ｃより径方向内側まで延在する。すなわち、テーパ部４４には、スラスト溝４６が形成されていない傾斜面４４ｄが残されている。傾斜面４４ｄは、外周端４４ｃ（テーパ部４４と面取り部４０ｂ、４１ｂとの境界）とスラスト溝４６との間に形成される。
【００３８】
スラスト溝４６の外周端４６ａは、テーパ部４４のうち、径方向の中心近傍に位置する。ただし、外周端４６ａは、テーパ部４４のうち、径方向の中心より内側に位置してもよい。また、外周端４６ａは、テーパ部４４のうち、径方向の中心より外側に位置してもよい。また、テーパ部４４の径方向長さを長さＲとすると、スラスト溝４６の外周端４６ａは、スラスト溝４６の内周端４６ｂから１／３Ｒ〜２／３Ｒの範囲に位置してもよい。この場合、下記のように、スラスト軸受面４０、４１のうち、テーパ部４４へ供給される潤滑油の油量が効果的に増加する。負荷能力の偏りが抑制されて、軸受性能が向上する。
【００３９】
スラスト溝４６は、外周端４６ａに向って浅くなる。外周端４６ａは、テーパ部４４のうち、スラスト溝４６が形成されていない傾斜面４４ｄと面一となっている。すなわち、スラスト溝４６は、外周端４６ａにおいて傾斜面４４ｄに接続される。
【００４０】
この場合、テーパ部４４とスラスト溝４６との段差が少ない。スラスト溝４６から傾斜面４４ｄに流出する潤滑油の流れ方向の変化は、小さくなる。潤滑油の圧力変化が抑制される。また、例えば、スラスト溝４６から流出する潤滑油中に、キャビテーションが発生し難くなる。スラスト溝４６から流出する潤滑油の流れが、乱れ難い。ただし、スラスト溝４６と傾斜面４４ｄとの境界に、軸方向に平行な段差が形成されてもよい。
【００４１】
スラスト溝４６は、テーパ部４４のうち、回転方向の後方側に位置する。すなわち、スラスト溝４６は、テーパ部４４における回転方向の幅中心Ｍよりも、回転方向の後方側に位置する。
【００４２】
図５（ａ）は、図４（ａ）のスラスト溝４６近傍の抽出図である。図５（ｂ）は、図５（ａ）におけるセミフローティング軸受７のＶｂ矢視図である。以下、重複説明を避けるため、スラスト軸受面４０、４１の双方に設けられた構成については、スラスト軸受面４０側を例に挙げて説明することがある。
【００４３】
図５（ａ）に示すように、スラスト溝４６は、回転方向の後方側のランド部４３から離隔している。スラスト溝４６は、回転方向の前方側および後方側の双方が、テーパ部４４の傾斜面４４ｄ内に位置している。上記のように、テーパ部４４は、ランド部４３よりも突出高さが低い。そのため、スラスト溝４６にエッジが形成されても、大径部８ａや油切り部材２１にエッジが接触し難い。ただし、スラスト溝４６のエッジを十分に小さく抑えられる場合には、スラスト溝４６は、回転方向の後方側のランド部４３と隣接してもよい。
【００４４】
ここでは、スラスト溝４６の回転方向の幅は、例えば、スラスト溝４６の回転方向の最大幅Ｌｂとする。スラスト溝４６と回転方向の後方側のランド部４３の離隔距離は、最大幅Ｌｂに対して、１／５Ｌｂ〜１／３Ｌｂの範囲であってよい。この場合、スラスト溝４６がランド部４３に隣接（連続）して形成される場合と比べて、スラスト溝４６に供給される潤滑油と、シャフト８の回転に伴ってランド部４３に供給される潤滑油との干渉（乱れ）が防止される。
【００４５】
テーパ部４４に対して回転方向の後方側のランド部４３と、スラスト溝４６との回転方向の距離Ｌａは、スラスト溝４６の回転方向の幅よりも短い。スラスト溝４６の回転方向の幅は、例えば、面取り部４０ａの外周端上で最大値となる。スラスト溝４６は、外周端４６ａに向って先細りとなっている。
【００４６】
図５（ｂ）に示すように、スラスト溝４６は、回転方向の幅の中心（中央部）が最も深い。スラスト溝４６は、回転方向の両端側に向って浅くなる。スラスト溝４６は、径方向内側から見たとき、大凡三角形状となっている。図５（ａ）に示すように、ラジアル溝４２は、回転方向の幅の中心が最も深い。ラジアル溝４２は、回転方向の両端側に向って浅くなる。ラジアル溝４２は、軸方向から見たとき、大凡三角形状となっている。すなわち、スラスト溝４６およびラジアル溝４２は、深い位置（径方向外側）ほど、回転方向の幅が小さくなっている。
【００４７】
スラスト溝４６は、軸方向に面取り部４０ａまで延在し開口している。ラジアル溝４２は、径方向内側に面取り部４０ａまで延在している。スラスト溝４６とラジアル溝４２は、面取り部４０ａで連続（連通）する。ラジアル溝４２の回転方向の幅Ｌｃは、スラスト溝４６の回転方向の最大幅Ｌｂよりも小さい。ラジアル溝４２の幅Ｌｃは、例えば、スラスト溝４６との連続部分の幅とする。
【００４８】
スラスト溝４６には、ラジアル溝４２から潤滑油が流入する。スラスト溝４６に流入した潤滑油は、シャフト８の回転に伴って、スラスト溝４６から流出する。潤滑油は、テーパ部４４のうち、スラスト溝４６が形成されていない傾斜面４４ｄに供給される。そして、潤滑油は、シャフト８の回転に伴って、ランド部４３に供給される。
【００４９】
スラスト溝４６は、テーパ部４４のうち、貫通孔３１からテーパ部４４の外周端４４ｃより径方向内側までしか延在しない。そのため、スラスト溝４６がテーパ部４４の外周端４４ｃまで形成される場合に比べ、シャフト８の遠心力によって、テーパ部４４を流通せず（スラスト軸受面４０、４１で消費されず）に、スラスト軸受面４０、４１の外へ流出する潤滑油の油量が抑制される。そして、スラスト軸受面４０、４１のうち、内周側に供給される潤滑油の油量が増える。その結果、スラスト軸受面４０、４１のうち、テーパ部４４へ供給される潤滑油の油量が増加する。負荷能力の偏りが抑制される。軸受性能が向上する。
【００５０】
また、上記のように、スラスト溝４６は、テーパ部４４に設けられる。テーパ部４４は、ランド部４３よりも、シャフト８の挿通方向の突出高さが低い。そのため、スラスト溝がテーパ部４４の外（例えば、ランド部４３、または、ランド部４３とテーパ部４４の間）に設けられる場合に比べ、以下の利点がある。すなわち、スラスト軸受面４０、４１のうち、スラスト溝４６が形成されていない傾斜面４４ｄと、スラスト溝４６との段差が小さくなる。その結果、潤滑油の流れ方向の変化が小さくなる。潤滑油の圧力変化が抑制される。また、例えば、スラスト溝４６から流出する潤滑油中に、キャビテーションが発生し難くなる。スラスト溝４６から流出する潤滑油の流れが乱れ難い。
【００５１】
図６（ａ）は、シャフト８とスラスト軸受面４０を示す図である。図６（ｂ）は、セミフローティング軸受７とシャフト８（大径部８ａ）における図６（ａ）の一点鎖線部分の断面のＶＩｂ矢視図である。図６（ｂ）では、図６（ａ）の一点鎖線部分の円筒状の断面を、平面に展開して一部を抽出して示す。ここでは、図６（ａ）中、図６（ｂ）の断面位置を示す一点鎖線を、面取り部４０ａの外周端より僅かに内周側に図示する。ただし、実際には、図６（ｂ）の断面位置は、面取り部４０ａの外周端上に位置する。図６（ａ）、図６（ｂ）では、回転方向を破線の矢印で示す。図６（ａ）では、シャフト８とラジアル軸受面３３との軸受隙間Ｓａ（クロスハッチングで示す）を実際より拡大して示す。図６（ｂ）では、円筒状の断面を平面に展開して示す。図６（ｂ）では、シャフト８（大径部８ａ）とスラスト軸受面４０との軸受隙間Ｓｂ（クロスハッチングで示す）を実際より拡大して示す。図６（ｂ）では、テーパ部４４の傾斜を実際より大きく示す。図６（ｂ）では、スラスト溝４６を実際より大きく示す。
【００５２】
上記のように、シャフト８は軸方向に僅かに移動できる。シャフト８の軸方向の移動に伴って、２つのスラスト軸受面４０、４１の軸受隙間Ｓｂは拡大、縮小する。ここでは、２つのスラスト軸受面４０、４１の軸受隙間Ｓｂが等しい状態をノミナルという。
【００５３】
ここで、２つの軸受隙間Ｓａ、Ｓｂの流路断面積を比較する。ラジアル軸受面３３の軸受隙間Ｓａの流路断面積は、軸方向に垂直な断面とする。スラスト軸受面４０の軸受隙間Ｓｂの流路断面積は、ノミナル時における、面取り部４０ａの外周端を通る軸方向に平行な円筒面による断面とする。軸受隙間Ｓｂの流路断面積は、軸受隙間Ｓａの流路断面積に対して、大きくしてもよい。この場合、ラジアル軸受面３３の軸受隙間Ｓａからスラスト軸受面４０の軸受隙間Ｓｂに、潤滑油が流れ易くなる。
【００５４】
図７（ａ）は、スラスト軸受面４０を示す図である。図７（ｂ）は、図７（ａ）のＶＩＩｂ−ＶＩＩｂ線断面図である。図７（ｃ）は、図７（ｂ）のＶＩＩｃ矢視図である。図７（ｄ）は、図７（ｂ）のＶＩＩｄ矢視図である。図７（ｂ）、図７（ｃ）、図７（ｄ）では、ラジアル溝４２およびスラスト溝４６近傍を抽出して示す。
【００５５】
図７（ｃ）は、ラジアル溝４２とスラスト溝４６との接続部分を、軸方向に見た図である。すなわち、図７（ｃ）は、ラジアル溝４２とスラスト溝４６との接続部分を、ラジアル溝４２の内壁面４２ａの延長線上から見た図である。図７（ｄ）は、ラジアル溝４２とスラスト溝４６との接続部分を、スラスト溝４６の内壁面４６ｃの延長線上から見た図である。
【００５６】
図７（ｃ）中、ラジアル溝４２をクロスハッチングで示す。図７（ｄ）中、スラスト溝４６をクロスハッチングで示す。ここで、ラジアル溝４２とスラスト溝４６の周方向における位置は同一である。この場合、ラジアル溝４２とスラスト溝４６の周方向における位置が異なる場合と比べて、ラジアル溝４２からスラスト溝４６に潤滑油をスムーズに供給し易くなる。なお、ここでの同一とは厳密ではなく、製作時の寸法誤差等を含む意味である。また、ラジアル溝４２の断面積は、スラスト溝４６の断面積に対して、９０％−１１０％の範囲となっていてもよい。ここで、ラジアル溝４２の断面積は、軸方向に垂直な断面積である。ラジアル溝４２の断面積は、軸方向に垂直な面に、ラジアル溝４２を投影した面積である。スラスト溝４６の断面積は、スラスト溝４６の内壁面４６ｃに垂直な断面積のうち、最大となる位置（ラジアル溝４２側）の断面積である。スラスト溝４６の断面積は、内壁面４６ｃの延長線に垂直な面に、スラスト溝４６を投影した面積である。
【００５７】
ラジアル溝４２の断面積が、スラスト溝４６の断面積に対して、９０％−１１０％の範囲となっている場合、以下の効果がある。すなわち、スラスト溝４６がラジアル溝４２に対して大き過ぎると、スラスト荷重に対して十分な負荷反力（油膜圧力）が得られなくなるおそれがある。スラスト溝４６がラジアル溝４２に対して小さ過ぎると、油詰まりによるメカロス（機械損失）が生じるおそれがある。ラジアル溝４２の断面積が、スラスト溝４６の断面積に対して、９０％−１１０％の範囲となっている場合、スラスト荷重に対して十分な負荷反力が得られる。また、ラジアル溝４２の断面積が、スラスト溝４６の断面積に対して、９０％−１１０％の範囲となっている場合、メカロスの増加を低減し得る。
【００５８】
図８（ａ）は、第１変形例における図５（ａ）に対応する部位の図である。図８（ｂ）は、第１変形例における図５（ｂ）に対応する部位の図である。図８（ａ）、図８（ｂ）に示すように、第１変形例では、スラスト溝１４６は、径方向内側から見たとき、大凡円弧形状（曲面形状の一例）となっている。ラジアル溝１４２は、軸方向から見たとき、大凡円弧形状となっている。
【００５９】
また、上述した実施形態と同様、スラスト溝１４６およびラジアル溝１４２は、面取り部４０ａまで延在している。スラスト溝１４６とラジアル溝１４２は、面取り部４０ａで連続する。ラジアル溝１４２の回転方向の幅Ｌｃは、スラスト溝１４６の回転方向の最大幅Ｌｂよりも小さい。
【００６０】
図９（ａ）は、第２変形例における図５（ａ）に対応する部位の図である。図９（ｂ）は、第２変形例における図５（ｂ）に対応する部位の図である。図９（ａ）、図９（ｂ）に示すように、第２変形例では、スラスト溝２４６は、径方向内側から見たとき、大凡四角形状となっている。スラスト溝２４６は、回転方向の位置によらず深さが大凡一定となっている。また、スラスト溝２４６の深さは、径方向外側に向かうほど浅くなる。径方向外側の端部において、テーパ部４４と面一となる。
【００６１】
また、上述した実施形態と同様、スラスト溝２４６およびラジアル溝２４２は、面取り部４０ａまで延在している。スラスト溝２４６とラジアル溝２４２は、面取り部４０ａで連続する。ただし、ラジアル溝２４２の回転方向の幅Ｌｃは、スラスト溝２４６の回転方向の最大幅Ｌｂよりも大きい。このように、ラジアル溝２４２の回転方向の幅Ｌｃは、スラスト溝２４６の回転方向の最大幅Ｌｂよりも、大きくてもよい。また、ラジアル溝２４２の回転方向の幅Ｌｃは、スラスト溝２４６の回転方向の最大幅Ｌｂと等しくてもよい。
【００６２】
以上、添付図面を参照しながら一実施形態について説明したが、各構成は上記の実施形態に限定されないことは言うまでもない。当業者であれば、特許請求の範囲に記載された範疇において、各種の変更例または修正例に想到し得ることは明らかであり、それらについても当然に技術的範囲に属するものと了解される。
【００６３】
例えば、上述した実施形態および変形例では、スラスト溝４６、１４６、２４６は、テーパ部４４における回転方向の幅中心Ｍよりも、回転方向の後方側に位置する場合について説明した。この場合、テーパ部４４のうち、クサビ効果に寄与する面積が大きくなる。そのため、油膜圧力が高まりやすい。ただし、スラスト溝４６、１４６、２４６は、幅中心Ｍに位置してもよい。また、スラスト溝４６、１４６、２４６は、幅中心Ｍよりも回転方向の前方側に位置してもよい。
【００６４】
また、上述した実施形態および変形例では、テーパ部４４に対して回転方向の後方側のランド部４３と、スラスト溝４６、１４６、２４６との回転方向の距離Ｌａは、スラスト溝４６、１４６、２４６の回転方向の幅よりも短い場合について説明した。この場合、テーパ部４４のうち、クサビ効果に寄与する面積が大きくなる。そのため、油膜圧力がさらに高まりすい。ただし、距離Ｌａは、スラスト溝４６、１４６、２４６の回転方向の幅と同じでもよい。また、距離Ｌａは、スラスト溝４６、１４６、２４６の回転方向の幅よりも長くともよい。
【００６５】
また、上述した実施形態および第１変形例では、スラスト溝４６、１４６は、径方向外側に向って先細り形状である場合について説明した。この場合、潤滑油が、スラスト溝４６、１４６からテーパ部４４の傾斜面４４ｄに流れ易い。ただし、スラスト溝４６、１４６は、径方向外側に向って先細り形状でなくともよい。例えば、上述した第２変形例のように、径方向の位置に拘らず、スラスト溝２４６の回転方向の幅が、大凡一定でもよい。また、スラスト溝の回転方向の幅は、径方向外側に向って拡がってもよい。
【００６６】
また、上述した実施形態では、スラスト溝４６は、径方向内側から見たとき、大凡三角形状である場合について説明した。ラジアル溝４２は、軸方向から見たとき、大凡三角形状となっている場合について説明した。この場合、スラスト溝４６とラジアル溝４２は、同じ工具による機械加工で形成可能となる。そのため、工具の換装工程が少なくなる。作業性が向上する。上述した第１変形例も、同様の効果がある。
【００６７】
また、スラスト溝４６、１４６、２４６は、上述した実施形態や変形例に示される形状に限られない。例えば、スラスト溝４６、１４６、２４６は、径方向内側から見たとき、台形でもよい。すなわち、スラスト溝４６に底面が形成されていてもよい。
【００６８】
また、上述した実施形態および第１変形例では、ラジアル溝４２、１４２の回転方向の幅Ｌｃは、スラスト溝４６、１４６の回転方向の最大幅Ｌｂよりも小さい場合について説明した。この場合、ラジアル溝４２、１４２からスラスト溝４６、１４６に、潤滑油が流れ易くなる。
【００６９】
また、上述した実施形態および変形例では、スラスト軸受面４０、４１が、セミフローティング軸受７に形成される場合について説明した。ただし、セミフローティング軸受７とは別に、スラスト軸受が設けられてもよい。スラスト軸受にスラスト軸受面が形成されてもよい。この場合、セミフローティング軸受７の代わりに、フルフローティング軸受、転がり軸受など、他のラジアル軸受が設けられてもよい。つまり、上記実施形態では、スラスト軸受面とラジアル軸受面とが、同一の部材に形成されている。しかしながら、スラスト軸受面とラジアル軸受面とが、それぞれ別の部材に形成されてもよい。
【００７０】
上述した実施形態および変形例では、セミフローティング軸受７の本体部３０のうち、２つのラジアル軸受面３３、３４の間に、油孔３６が設けられる場合について説明した。ただし、ラジアル軸受面３３に開口する油孔と、ラジアル軸受面３４に開口する油孔が、それぞれ設けられてもよい。この場合、油孔は、例えば、ラジアル軸受面３３、３４のうち、ラジアル溝４２に開口する。また、油路２ｃは分岐してもよい。分岐した油路２ｃは、２つのダンパ部３８、３９に各々対向してもよい。分岐した油路２ｃは、軸受孔２ｂの内周面２ｆに開口するように形成されてもよい。
【産業上の利用可能性】
【００７１】
本開示は、スラスト軸受面にランド部とテーパ部が設けられた軸受構造、および、軸受構造を備えた過給機に利用することができる。
【符号の説明】
【００７２】
８：シャフト  ３１：貫通孔  ３２：内周面  ３３、３４：ラジアル軸受面  ４０、４１：スラスト軸受面  ４２、１４２、２４２：ラジアル溝  ４３：ランド部  ４４：テーパ部  ４４ｃ：外周端  ４６、１４６、２４６：スラスト溝  Ｃ：過給機  Ｌａ：距離  Ｌｂ：最大幅  Ｌｃ：幅  Ｍ：幅中心  Ｓ：軸受構造
【図１】
0006741071.tif 000002
【図２】
0006741071.tif 000003
【図３】
0006741071.tif 000004
【図４】
0006741071.tif 000005
【図５】
0006741071.tif 000006
【図６】
0006741071.tif 000007
【図７】
0006741071.tif 000008
【図８】
0006741071.tif 000009
【図９】
0006741071.tif 000010